(57)【特許請求の範囲】
【請求項１】
軸（Ｘ）の周りに回転し、彎曲面部（１０）で車軸（Ａ）の大径部に統合するジャーナル（６）を有する車軸（Ａ）と、
彎曲面部（１０）でジャーナルの周囲に嵌合され、彎曲面部（１０）の小径側の端に位置する第一の衝合面（２２）を提供する裏当て環（２０）と、
ジャーナルに取り付けられ、第一の衝合面（２２）に対向する第二の衝合面（２６）を提供する端部材（２４）と、
裏当て環（２０）と端部材（２４）との間のジャーナルの周囲に配置される軸受けであって、
軸に対向する側にレースウエイ（４２）を有するアウタレース（３０）、
軸に対向しない側にレースウエイ（４２）を有し、第一の衝合面及び第二の衝合面に接触する背面を備え、第一の衝合面と接触する背面の領域にアンダーカット（５６）を有し、アウタレースの内側のジャーナル（６）の周囲に干渉嵌合されるインナレース（３２）、
インナレースとアウタレースのレースウエイ間に少なくとも２列で配置される回転要素（３４）、及び、
インナレース及びアウタレースの少なくとも何れか一方に装着され、インナレース及びアウタレース間の環状の空間（Ｓ）の両端を閉じるシール（３６）、を備える軸受けとを含む、組立体。
【請求項２】
回転要素が２列で配置されており、インナレースがレースウエイ及び背面をそれぞれ有する２つの構成部品からなり、一方の構成部品の背面が、第一の衝合面と接触すると共に、他方の構成部品の背面が、第二の衝合面と接触する、請求項１記載の組立体。
【請求項３】
インナレースの各構成部品は、背面とレースウエイとの間に筒状面（６０、６４）を有しており、シールが該筒状面（６０、６４）の周囲に配置される、請求項２記載の組立体。
【請求項４】
ｎが彎曲面部の大径側の端と背面間の中点との距離であり、ｆがジャーナルの直径であるとき、
ｎ＜０．７８ｆ
であることを特徴とする請求項３記載の組立体。
【請求項５】
車軸は、車軸（２）の端部分を形成する円柱状の主要区域（２）と、主要区域とジャーナル（６）との間に配置される円筒状の介在区域（４）とを含み、ここで
ｄ＞ｅ＞ｆ
であり、ここでｄは主要区域の直径であり、ｅは介在区域の直径であり、ｆはジャーナルの直径であることを特徴とする請求項３記載の組立体。
【請求項６】
裏当て環の第一の衝合面は、彎曲面部の小径側の端に位置する、請求項１記載の組立体。
【請求項７】
アウタレースが１つの構成部品からなる、請求項１記載の組立体。
【請求項８】
前記軸受けは、転がり軸受けであり、前記インナレースは、ジャーナルの周囲に嵌合される２つのコーンからなり、各コーンは、軸に対向しない側にテーパ付きレースウエイを有し、一方のコーンの背面が、裏当て環の第一の衝合面に接触し、他方のコーンの背面が、端部材の第二の衝合面に接触し、該一方のコーンは、その背面に導かれるアンダーカットを有し、アウタレースは、２つのコーンを包囲するカップであり、カップは、コーンとの間に環状の空間が存在するように、コーンのレースウエイに対向するが離間する２つのテーパ付きレースウエイを有し、回転要素は、環状の空間に２列に配設されたテーパころであり、第１の列のテーパころは、前記一方のコーンのレースウエイ及びカップのレースウエイに接触し、第２の列のテーパ付きころは、前記他方のコーンのレースウエイ及びカップのレースウエイに接触し、前記シールは、環状の空間内に潤滑油を保持する流体バリアを確立する、請求項２記載の組立体。
【請求項９】
アンダーカットの軸方向の寸法は、径方向の寸法に比して大きい、請求項１記載の組立体。
【発明の詳細な説明】
【０００１】
【発明の属する技術分野】
本発明は軸受けに関し、より詳細には動作において摩損がより少ない補強された車軸ジャーナルと組み合わされた軸受けに関する。
【０００２】
【従来の技術】
アメリカ合衆国内の鉄道で用いられているほとんどの軌道車は摩擦を減少するために減摩軸受けに頼り、それによりそのような車両を動かすために必要な牽引力を減少させている。典型的にはそのような車両の車輪はそれらが共に回転する車軸に嵌合する。各車軸は車軸の残りの部分より小さな直径のジャーナルの形でそれの車輪を越えて延在する。軸受けはジャーナルを越えて台車（ｔｒｕｃｋ）に対する側方フレーム内で受容される筐体内にぴったりと嵌合する。車軸の最も薄い部分と軌道車の重量が車軸に負荷される場所でジャーナルは少なくとも軌道車が多量に積載されるときには軌道車がレール上で動くにつれて曲がるようになる。
【０００３】
屈曲は各軸受けの内向き端で最も強調されるであろう。ここで典型的なジャーナルは軸受けのインナレースと、ジャーナルがしばしば防塵部分と称される車軸のより大きな隣接部分内に合併される彎曲面部（ｆｉｌｌｅｔ）上で嵌合する裏当て環との間に延在するシール摩耗環と適合される。摩耗環は周囲にシールが軸受け内で潤滑を得、汚染物の進入を防ぐよう嵌合する円筒形表面を供する。インナレースと摩耗環の両方は、少なくとも摩耗環がインナレースと隣接するところではジャーナル上でぴったり嵌合する。ジャーナル内での屈曲の故に一方のジャーナルとインナレースと他方の内向き摩耗環との間で摩損が生ずる。
【０００４】
摩損がジャーナルを浸食し、それによりインナレースと摩耗環とジャーナルとの間のよりゆるい嵌合を形成する。このよりゆるい嵌合は摩損をより一層ひどくする。ひどい場合には摩損は加熱及び軸受け疲労をもたらしうる。更にまた車軸は弱くなり、シールの効果は減少する。何故ならば周辺にそれが嵌合される摩耗環はもはやジャーナルと同軸ではないからである。
【０００５】
確かに軌道車両の車軸のジャーナルについての摩損問題への取り組みがなされてきた。これらの努力は車軸ジャーナルの表面の硬さを増加し、ジャーナルと接触する摩耗環の表面領域を増加し、ジャーナルそれ自身の代わりにジャーナルに関してそれを中心に置くために裏当て環を用いることによりジャーナルの表面から摩耗環を全体的に分離することさえ含む。全ては軸受け又はそれの組立のコストを増加される。
【０００６】
【発明が解決しようとする課題】
本発明の目的は動作において摩損がより少ない補強された車軸ジャーナルと組み合わされた軸受けを提供することにある。
【０００７】
【課題を解決するための手段】
本発明は軸の周りに回転し、彎曲面部で軸のより大きな部分に統合するジャーナルを有する車軸と、彎曲面部でジャーナルの周囲に嵌合され、彎曲面部から離れて配置され彎曲面部の小さな端に概略配置される第一の衝合面を提供する裏当て環と、ジャーナルに取り付けられ、第一の衝合面に向けて配置される第二の衝合面を提供する端部材と、裏当て環と端部材との間のジャーナルの周囲に配置され、軸に対して内向きに存在するレースウエイを有するアウタレースを含む軸受けと、アウタレース内とジャーナルの周囲に配置され、インナレースとジャーナルとの間に干渉嵌合があるインナレースと、インナとアウタレースのレースウエイ間の少なくとも２つの列内に配置される回転要素と、軸受けのレース間の環状の空間の端を閉じるシールとからなる該インナレースは、環状の空間がレース間に存在するようにアウタレースのレースウエイに対して外向きに存在するレースウエイを有し、また裏当て環と端部材との上の衝合面に対向する裏当て面を有し、裏当て環の端面に対向するそれの背面の領域内のインナレースは干渉嵌合が背面の外に延在せず、インナレースと裏当て環とが衝合するジャーナルに応力集中を生じないようアンダーカットされてなる組立体を提供する。
【０００８】
本発明は軸の周りに回転し、彎曲面部で軸のより大きな部分に統合するジャーナルを有する車軸に用いられる軸受けであって、彎曲面部でジャーナルの周囲に嵌合され彎曲面部から離れて配置され彎曲面部の小さな端に概略配置される第一の衝合面を提供する裏当て環と、ジャーナルに取り付けられ第一の衝合面に向けて配置される第二の衝合面を提供する端部材との間でジャーナルの周囲に配置されるよう適合され、軸に対して内向きに存在するレースウエイを有するアウタレースと、アウタレース内に位置しインナレースとジャーナルとの間に干渉嵌合でジャーナルの周囲に配置されるよう適合されたインナレースと、インナとアウタレースのレースウエイ間の少なくとも２つの列内に配置される回転要素と、軸受けのレース間の環状の空間の端を閉じるシールとを有し、該インナレースは、環状の空間がレース間に存在するようにアウタレースのレースウェイに向けて外向きに位置するレースウェイと、裏当て環と端部材との上の衝合面に対して衝合するよう適合された裏当て面とを有し、裏当て環の端面に対して衝合するよう適合されたその背面の領域内のインナレースはジャーナル上に設けられたときに干渉嵌合が背面の外に延在せず、インナレースと裏当て環とが衝合するジャーナル内に応力集中を生じないようにアンダーカットされてなる軸受けをまた提供する。
【０００９】
【発明の実施の形態】
図面（図２）を参照するに、車軸Ａは軸Ｘに関して減摩軸受けＢ内で回転する。軸受けＢは筐体Ｃ内に含まれる。典型的にはこの配置は軌道車の部分であり、軸Ａは車輪と嵌合し筐体Ｃは軌道車用のサスペンションシステムの部分を形成する台車又はある他の器具内で受容される。車軸Ａは軸受けＢの構成のために従来技術の車両の車軸よりかなり少ない屈曲を被り、摩損に関しては車軸Ａに沿ってより進展しにくい。
【００１０】
車軸Ａは車輪間及びそれを越えて延在する主要区域２を有する。各端においてそれは防塵部分と称される減少された介在区域４とこれを越えて位置するジャーナル６とを有する。主要区域２は彎曲面部８で介在区域４内に併合され、介在区域４は他の彎曲面部１０でジャーナル６内に併合され、両方の彎曲面部８、１０は本質的に同じ曲率半径を有する。その対向する端でジャーナル６は軸Ｘに関して直角に置かれた端面１２を有する。ここでジャーナル６は軸Ｘの周囲に平行に位置する螺刻された孔１４を有する。主要区域２と介在区域４とジャーナル６とは全て本質的に円筒状で同心であり、軸Ｘはこれら全てに共通である。実際にジャーナル６はその彎曲面部１０と車軸Ａの端面１２から突出するわずかに傾斜した表面１８との間に存在する延在された円筒状の表面１６を有する。主要区域２は直径ｄを有し、介在区域は直径ｅを有し、ジャーナルの延在された表面１６は直径ｆを有する。介在区域４は長さｍを有し、一方ジャーナル６に沿って距離ｎが介在区域４の端と軸受けＢの中点との間に存在する。ジャーナル６の端で彎曲面部１０は長さｐを有する。以下の寸法関係が車軸Ａに存在する：
ｅ＞０．８４ｄ
ｆ＞０．８１ｅ
ｎ＞０．７８ｆ
ｄ＞ｅ＞ｆ
基本的に減少された区域４の直径ｅは少なくとも従来技術の車軸内のその対向部分と同様に大きいがその長さｍはより大きい。他方で軸受けＢの中点とジャーナル６の内向き端との間の距離ｎは従来技術の軸受けのそれの対向部分より短い。車軸Ａと従来技術の車軸との間の寸法関係の変化は車軸Ａ、特にそれのジャーナル６の端を固定するのに供され、それにより動作中の曲がりが減少する。故にこれは摩損を減少する。
【００１１】
ジャーナル６の内向き端で裏当て環２０は小さな彎曲面部１０に隣接する。裏当て環２０は減少された区域４の端に重なり、彎曲面部１０全体を覆うために彎曲面部１０に沿って軸方向に延在するが、隣接する円筒状の表面１６には、延在したとしてもごくわずかである。裏当て環２０は軸Ｘに関して直角に置かれる端面２２で終端し、彎曲面部１０が円筒状の表面１６から出現する位置に本質的に存在する。換言すれば裏当て環２０は彎曲面部１０に沿って実質的にそれの長さｐだけ突出し、その端面２２は彎曲面部１０の対向する端から実質的に距離ｐに存在する。
【００１２】
ジャーナル６の外向き端で端キャップ２４は若干傾斜した表面１８上に、及び軸Ａの端を横切って嵌合する。それは延在される円柱状の表面１６に沿って存在する端面２６で終端し、裏当て環２０上の端面２２に向かって配置される。端面２２と同様に端面２６は軸Ｘに関して直角に置かれる。端キャップ２４は端キャップ２４を貫通し、螺刻された孔１４の螺刻に係合するキャップネジ２８によりジャーナル上に保持される。端キャップ２４及びネジ２８はジャーナル６上の軸受けＢを保持する。
【００１３】
軸受けＢは端キャップ２４と裏当て環２０との間でジャーナル６を取り囲む。それは二重のカップ３０の形でアウタレースと、２つのコーン３２の形でインナレースとカップ３０と２つのコーン３２との間の２つの円形並び内に配置されるテーパころ３４とを含む。ころ３４はカップ３０と２つのコーン３２との間の環状空間Ｓー軸受けＢの内部を示す空間を占有する。空間Ｓはカップ３０とコーン３２に嵌合されるシール３６によりそれの端で閉鎖される。実際にシール３６はカップ３０とコーン３２との間の動的流体バリアを確立し、斯くして環状空間の端がなお閉鎖される一方で後者が前者の中で回転することを許容する。
【００１４】
軸受けＢをより詳細に考察するとそのカップ３０はその端の外側に開口する端孔４０と、軸Ｘに向かって内側に存在するテーパレースウエイ４２と、軸受けＢの中点に向かって孔４０から下方のテーパとを有する。レースウエイ４２は２つのコーン３２を取り囲み、各レースウエイ４２内に別々のコーン３２がある。
各コーン３２は通し孔４４を有し、これを通ってジャーナル６が延在し、孔４４の直径はジャーナル６に対する円筒状表面１６の直径ｆよりわずかに小さく、それによりコーン３２とジャーナル６との間の干渉嵌合が存在する。各コーン３２はまた軸Ｘから外側に離れて、カップ３０のレースウエイ４２の１つに向かって存在するレースウエイ４６を有する。それに向かうカップレースウエイ４２と同様に各コーンレースウエイ４６は軸受けＢの中点に向かって下方にテーパする。そのレースウエイ４６の小さい端で各コーン３２は保持リブ４８を有し、一方そのレースウエイ４６の大きな端でそれはスラストリブ５０を有する。２つのリブ４８、５０はそれらのそれぞれのレースウエイ４６の端を越えて外向きに突出する。一方で従来技術のテーパころ軸受けはスラストリブを有し、軸受けＢ内の各コーン３２のスラストリブ５０はカップ３０の対応する端で端孔４０内に存在するある長さの円筒状の面５２を設けるように延在される。筒状面５２は軸Ｘに関して直角に置かれ、コーン３２の端（実際には軸受けＢである）を形成する背面５４に対して突出する。最終的に各コーン３２の孔４４はコーンに対する背面５４の領域内でアンダーカット５６内に開口する。アンダーカット５６の長さはスラストリブ５０の長さを越えず、それ故スラストリブ５０に重なる一方でアンダーカット５６はレースウエイ４６に重ならない。アンダーカット５６はその部分をまた形成する傾斜した表面に沿って孔４４と合併する。
【００１５】
テーパころ３４はレースウエイ４２、４６に対向するそれらのテーパ側面を有するカップ３０及びコーン３２上の対向するレースウエイ４２と４６との間でそれぞれ嵌合し、それらの大きな端はスラストリブ５０に対向するように向く。テーパの幾何的配置により、カップ３０とコーン３２との間の環状空間Ｓからころ３４を排除するやや軸方向向きの力の成分に変換される軸受けＢを介して伝えられた放射方向に向く負荷はコーン３２上のスラストリブ５０に対するものではない。
【００１６】
内向きコーン３２はそれの外面５４でそれの背面２２に沿って裏当て環２０に隣接する。他方で外向きコーン３２の背面５４はキャップネジ２８により外向きコーン３２に向かって押される端キャップ２４の端面２６を圧迫し、それにより２つのコーン３２は端キャップ２４と裏当て環２０との間に挟持される。しかしキャップネジ２８は軸受けＢに対する設定を制御しない。その代わりに２つのコーンはそれらの保持リブ４８間で嵌合するスペーサー５８により分離され、２つのコーン３２がそれらの保持リブ４８でそれと隣接するときにそれは遊び又は予加重のどちらかの所定の設定を有する軸受けを提供するために研磨される。
【００１７】
ジャーナル６には、彎曲面部１０が出現する個所で、応力集中が生ずる。応力集中は圧縮嵌合部の端に存在し、ジャーナル６と内向きコーン３２との間の圧縮嵌合の場合であってもかかる応力集中が生ずる。しかし干渉嵌合により発生された応力集中は内向きコーン３２内のアンダーカット５６による彎曲面部１０により引き起こされた応力集中と一致しない。２つの応力集中内のオフセットはジャーナル６の疲れ寿命を増強する。外向きコーン３２内のアンダーカットは、応力集中を分離する機能を果たさない一方で２つのコーン３２を交換可能にし、逆設置を許容する。コーンに対するスラストリブ５０の領域に限定され、レースウエイ４６に重ならない各コーン３２上のアンダーカット５６は放射方向（ラジアル方向）の負荷を伝えるコーン３２の能力を減少しない。
【００１８】
シール３６はカップ３０の端孔４０内と２つのコーン３２のスラストリブ５０上の筒状面５２の周囲で嵌合し、それにより、ころ３４により占有された環状空間Ｓの端に近接する。各シール３６はカップ３０内の端孔４０の１つ内に圧縮される容器６０と軸受けＢの対応する端でコーン３２のスラストリブ５０に対する筒状面５２にわたり圧縮されるシールド６２とを含む。容器６０とシールド６２の両方は比較的堅く、金属の打ち抜き加工により形成されることが好ましい。容器６０と端孔４０との間、及びシールド６２とスラストリブ５０の筒状面５２との間の干渉嵌合はそれらの位置で定常的な液体バリアを形成する。加えて各シール３６は容器６０に結合され、それに沿ってそれが動的又は有効な液体バリアを確立するシールド６２の表面に対して外へ延在する弾力的なシール要素６４を含む。シール３６はアメリカ特許第４８１９９４９号「シールドされたシール組立体」で開示されたものと同様である。
【００１９】
軸受けＢを介して伝えられた負荷は２つの並びのころ３４を介して通過し、それはそれらの並びの間を概略等しく分割する。結果として負荷はころ３４の２つの並びの間の中間に位置する合力Ｒに帰着する。合力Ｒと車軸Ａの減少された介在区域４は主要区域２内に併合される彎曲面部８との間の距離は従来技術の車軸上の対応する距離と本質的に同じままである。換言すれば結合された寸法ｍ＋ｎは変化しない。車軸Ａに対する減少された介在区域４の長さｍは従来技術の車軸上の対応する寸法より大きい。一方で合力Ｒと彎曲面部１０の大きな端との間の距離ｎは従来技術の車軸上の対応する寸法より小さい。より厚い介入区域４の延長とジャーナル６の減少とは車軸Ａの端を従来技術の車軸の端よりも高強度にする。結果としてジャーナル６は内向きコーン３２に対して背面５４の領域内でより少ない屈曲を経験する。実際そのコーン４３の背面５４とジャーナル６の内向き端との間の距離ｐは非常に短く、それは本質的に裏当て環２０の長さである。何故ならばシール磨耗環はジャーナル６の延長を要求する領域内に存在しないからである。軸受けＢは、依然として、上述の如くジャーナル６上に設けられる、組立前且つ潤滑前のユニットである。実際シール磨耗環の不在により軸受けＢは従来技術の軌道車両の車軸軸受けより少ない部品を有し、もちろんより短い。シール３６は、コーン３２とスペーサー５６とをカップ３０から脱離するのを防止する目的で軸受けＢを一体化する役割を果たす。
【００２０】
他の構造のシールはカップ３０とコーン３２との間の環状空間Ｓの端に近接するように用いられ得る。例えば適切なシールがカップ３０の端孔の１つに嵌合されたシール容器と容器に結合し、カップ３０の対応する端でコーン３２に対するスラストリブ５０上の円筒状表面５２に沿って液体バリアを確立するエラストマーのシール要素とを有する。本発明は本発明の精神と視野からはずれることなく構成された開示の目的で選択された本発明の例の全ての変形及び改良を含むよう意図されている。
【図面の簡単な説明】
【図１】車軸ジャーナルに嵌合し、摩損が進展する位置を示す従来技術の軸受けの断面図である。
【図２】本発明による車軸及び軸受け及び関連する部品の断面図である。
【符号の説明】
２  主要区域
４  介在区域
８、１０  彎曲面部
６  ジャーナル
１２  端面
１４  孔
１６、１８  表面
ｄ，ｅ，ｆ  直径
ｍ，ｎ、ｐ  距離
Ａ  車軸
Ｂ  軸受け
Ｘ  軸
Ｓ  空間
Ｒ  合力
２０  裏当て環
２２、２６  衝合面
２４  端キャップ
２８  ネジ
３０  カップ
３２  コーン
３４  ころ
３６  シール
４０、４４  孔
４２、４６  レースウエイ
４８、５０  リブ
５２  筒状面
５４  背面
５６  アンダーカット
５８  スペーサ
６０  容器
６２  シールド
【図１】
0003540450.tif 000002
【図２】
0003540450.tif 000003